(57)【特許請求の範囲】
【請求項１】
表面にスイッチボタンが備えられてなり、且つ、裏面に配線が接続されたスイッチ基板を保護するための基板保護用部材であって、
前記スイッチ基板の縁に嵌合し得る溝部が設けられた一対の側壁と、
両側壁によって支持された天板と、
前記天板に設けられた配線挿通孔と、
を具備してなり、
前記天板によって前記スイッチ基板の裏面側が覆われ、且つ、前記配線挿通孔に前記配線が刺し通された状態で、前記溝部を介して前記スイッチ基板に取り付けられることを特徴とする基板保護用部材。
【請求項２】
請求項１に記載の基板保護用部材において、
更に、前記天板の縁から前記配線挿通孔に通じるスリットが設けられてなる基板保護用部材。
【請求項３】
請求項１又は２に記載の基板保護用部材において、
更に、前記配線挿通孔より開口面積の大きい貫通孔が前記天板に設けられてなる基板保護用部材。
【請求項４】
請求項１ないし３のいずれか１項に記載の基板保護用部材を取り付けたスイッチ基板がスイッチケース内に挿入配置されてなるスイッチ構造であって、
前記スイッチケースの開口部が樹脂モールドによって埋められてなることを特徴とするスイッチ構造。
【請求項５】
請求項４に記載のスイッチ構造が衣服本体に備えられた機能性衣服であって、
前記衣服本体に装着された機械要素に対する電力供給の開始又は停止の命令が、前記スイッチ構造の操作による仕組みとなされたことを特徴とする機能性衣服。
【発明の詳細な説明】
【技術分野】
【０００１】
本発明は、スイッチ基板を保護するための基板保護用部材、前記基板保護用部材によって構築されたスイッチ構造、及び前記スイッチ構造を備えた機能性衣服に関する。
【背景技術】
【０００２】
最近、作業現場やレジャー等における季節的な寒暖等を緩和すべく、温熱が生じる衣服や、外気を取り込むことができる衣服が開発されている（例えば、下記特許文献１、２参照）。
【先行技術文献】
【特許文献】
【０００３】
【特許文献１】特開２０１６‐３０８７５
【特許文献２】特許第５９５８９２３号公報
【発明の概要】
【発明が解決しようとする課題】
【０００４】
図４に示すように、この種の衣服（以下、「機能性衣服」と称する。）１００Ｐは、衣服本体１０１の適宜箇所にヒーターや送風機等の機械要素１０２を設け、電池等の携帯電源（Ｂ）から通電される電力の供給を受けて発熱や送風等の電気的動作が行われる仕組みとなされたものである。そして、前記機械要素１０２に対する電力供給の開始又は停止の命令は、前記機能性衣服１００Ｐの着用者がスイッチ（Ｓ）を操作することによって行われる。
【０００５】
図５に示すように、一般的なスイッチ（Ｓ）は、表面にスイッチボタン２１が設けられたスイッチ基板２を用いて構築される。前記スイッチ基板２は、主に防水の観点からスイッチケース３内に挿入配置されたうえで、樹脂モールド４によって埋められる。この際、前記スイッチ基板２の裏面に接続された配線２２は、その末端部分を前記スイッチ基板２の裏面に這わせた状態となされる。
【０００６】
しかしながら、図６に示すように、前記樹脂モールド４は、前記配線２２が強く引っ張られたりしたときに破壊されることがある。前記樹脂モールド４が破壊されると、前記配線２２の断裂や、前記機能性衣服１００Ｐの洗濯時における水の侵入が発生する。
【０００７】
本発明は前記技術的課題に鑑みて開発されたものであり、スイッチ基板を保護するための新規な基板保護用部材、前記基板保護用部材によって構築された新規なスイッチ構造、及び前記スイッチ構造を備えた新規な機能性衣服を提供することを目的とする。
【課題を解決するための手段】
【０００８】
前記技術的課題を解決する本発明の基板保護用部材は、表面にスイッチボタンが備えられてなり、且つ、裏面に配線が接続されたスイッチ基板を保護するための基板保護用部材であって、前記スイッチ基板の縁に嵌合し得る溝部が設けられた一対の側壁と、両側壁によって支持された天板と、前記天板に設けられた配線挿通孔と、を具備してなり、前記天板によって前記スイッチ基板の裏面側が覆われ、且つ、前記配線挿通孔に前記配線が刺し通された状態で、前記溝部を介して前記スイッチ基板に取り付けられることを特徴とする（以下、「本発明保護用部材」と称する。）。
【０００９】
前記本発明保護用部材においては、更に、前記天板の縁から前記配線挿通孔に通じるスリットが設けられてなるものが好ましい態様となる。
【００１０】
前記本発明保護用部材においては、更に、前記配線挿通孔より開口面積の大きい貫通孔が前記天板に設けられてなるものが好ましい態様となる。
【００１１】
前記技術的課題を解決する本発明のスイッチ構造は、前記本発明保護用部材を取り付けたスイッチ基板がスイッチケース内に挿入配置されてなるスイッチ構造であって、前記スイッチケースの開口部が樹脂モールドによって埋められてなることを特徴とする（以下、「本発明スイッチ構造」と称する。）。
【００１２】
前記技術的課題を解決する本発明の機能性衣服は、前記本発明スイッチ構造が衣服本体に備えられた機能性衣服であって、前記衣服本体に装着された機械要素に対する電力供給の開始又は停止の命令が、前記スイッチ構造の操作による仕組みとなされたことを特徴とする（以下、「本発明衣服」と称する。）。
【発明の効果】
【００１３】
本発明によれば、スイッチ基板を好適に保護することができる。
【図面の簡単な説明】
【００１４】
【図１】図１は、本発明保護用部材の一実施形態を上面側から示す斜視図（ａ）と、前記本発明保護用部材を下面側から示す斜視図（ｂ）である。
【図２】図２（ａ）〜（ｄ）は、前記本発明保護用部材を用いて本発明スイッチ構造を構築する様子を示す斜視図である。
【図３】図３は、前記本発明スイッチ構造を備えた機能性衣服を一部透過状態で示す正面図である。
【図４】図４は、従来の機能性衣服を一部透過状態で示す正面図である。
【図５】図５は、従来のスイッチを構築している様子を示す斜視図である。
【図６】図６（ａ）は従来のスイッチを示す斜視図であり、図６（ｂ）は樹脂モールドが破壊された状態のスイッチを示す斜視図である。
【発明を実施するための形態】
【００１５】
以下、本発明の実施形態を、図面を参照しながら説明するが、本発明はこれらの実施形態に限定されるものではない。
【００１６】
＜本発明保護用部材１＞
図１に、本発明保護用部材１の一実施形態を示す。前記本発明保護用部材１は、溝部１１が設けられた一対の側壁１２と、両側壁１２によって支持された天板１３と、前記天板１３に設けられた配線挿通孔１４と、を具備する。本実施形態においては、プラスチック樹脂を型枠成形することによって、前記溝部１１、両側壁１２、前記天板１３、及び、前記配線挿通孔１４を一体的に成形した。なお、本実施形態においては、更に、前記天板１３の縁から前記配線挿通孔１４に通じるスリット１５と、前記配線挿通孔１４より開口面積の大きい貫通孔１６と、が前記天板１３に設けられている。
【００１７】
＜本発明スイッチ構造１０＞
図２に示すように、前記本発明保護用部材１は、本発明スイッチ構造１０を構築するための部材である。そして、前記本発明スイッチ構造１０における前記本発明保護用部材１は、表面にスイッチボタン２１が備えられてなり、且つ、裏面に配線２２が接続されたスイッチ基板２を保護する役割を担う。
【００１８】
前記本発明保護用部材１を前記スイッチ基板２に取り付けるにあたっては、まず、前記スイッチ基板２の縁を前記溝部１１に嵌合させる（図２（ａ）参照）。この際、前記本発明保護用部材１と前記スイッチ基板２の位置関係は、前記天板１３によって前記スイッチ基板２の裏面側が覆われ、且つ、前記配線挿通孔１４に前記配線２２が刺し通された状態とする（図２（ｂ）参照）。
【００１９】
次いで、前記本発明保護用部材１が取り付けられた前記スイッチ基板２は、スイッチケース３内に挿入配置される（図２（ｃ）参照）。この際、前記スイッチ基板２の表面に設けられたスイッチボタン２１を、前記スイッチケース３の底面越しに操作できるように、前記スイッチ基板２の表面を前記スイッチケース３の底面に対向させる。
【００２０】
この状態で、前記スイッチケース３の開口部を樹脂モールド４によって埋めれば、前記本発明スイッチ構造１０が構築される（図２（ｄ）参照）。
【００２１】
＜本発明衣服１００＞
前記本発明スイッチ構造１０は、例えば、図３に示すような本発明衣服１００の構成要素となる。前記本発明衣服１００は、前記本発明スイッチ構造１０が衣服本体（作業用ベスト）１０１に備えられたものであり、前記衣服本体１０１に装着された機械要素（ヒータ）１０２に対する電力供給の開始又は停止の命令が、前記スイッチ構造１０の操作による仕組みとなされたものである。
【００２２】
そして、前記構成を有する本発明スイッチ構造１０は、前記スイッチ基板２の配線２２が前記本発明保護用部材１の前記配線挿通孔１４に挿通された状態で保持されているため、前記配線２２が引っ張られたとしても、その衝撃は前記天板１３（前記配線挿通孔１４の縁）によって受け止められ、前記配線２２の末端（スイッチ基板２との接続位置）まで届き難くなる。これより、前記配線２２の断線や前記樹脂モールド４の破壊が抑制され、もって、前記スイッチ基板２を好適に保護することができる。
【００２３】
ところで、本実施形態においては、前記本発明保護用部材１につきプラスチック樹脂を素材とする型枠成形によって成形しているが、前記本発明保護用部材１の素材や成形手段は特に限定されない。
【００２４】
又、本実施形態においては、前記本発明保護用部材１に対し、前記天板１３の縁から前記配線挿通孔１４に通じるスリット１５と、前記配線挿通孔１４より開口面積の大きい貫通孔１６を設けているが、これらの要素は必ずしも前記本発明保護用部材１に設けなくても良い。但し、前記スリット１５を設ければ、前記本発明スイッチ構造１０の構築の際、前記配線２２を前記配線挿通孔１４に刺し通しやすくなる。又、前記貫通孔１６を設ければ、前記本発明スイッチ構造１０の構築の際、樹脂モールド４の充填が容易になる。
【００２５】
なお、本実施形態においては、前記衣服本体１０１として作業用ベストを選択しているが、本発明において前記衣服本体１０１の種類は特に限定されない。又、本実施形態においては、前記衣服本体１０１に装着する機械要素１０２をヒーターとしているが、本発明において、前記機械要素１０２の種類は特に限定されない。前記機械要素１０２のその他の例としては、前記衣服本体１０１内に外気を供給するための送風機等を挙げることができる。
【００２６】
なお、本発明は、その精神又は主要な特徴から逸脱することなく、他のいろいろな形態で実施することができる。そのため、上述の実施形態はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００２７】
本発明は、スイッチ基板を保護するための手段として好適に利用される。
【符号の説明】
【００２８】
１  本発明保護用部材（基板保護用部材）
１１  溝部
１２  側壁
１３  天板
１４  配線挿通孔
１５  スリット
１６  貫通孔
２  スイッチ基板
２１  スイッチボタン
２２  配線
３  スイッチケース
４  樹脂モールド
１０  本発明スイッチ構造（スイッチ構造）
１００  本発明衣服（機能性衣服）
１０１  衣服本体
１０２  機械要素
【要約】
【課題】本発明は、スイッチ基板を保護するための新規な基板保護用部材、前記基板保護用部材によって構築された新規なスイッチ構造、及び前記スイッチ構造を備えた新規な機能性衣服を提供することを目的とする。
【解決手段】  スイッチ基板２を保護するための部材として、前記スイッチ基板２の縁に嵌合し得る溝部１１が設けられた一対の側壁１２と、両側壁１２によって支持された天板１３と、前記天板１３に設けられた配線挿通孔１４と、を具備してなる基板保護用部材１を用い、この基板保護用部材１が取り付けられた前記スイッチ基板２をスイッチケース３内に挿入配置し、樹脂モールド４にて埋めることによってスイッチ構造１０を構築する。
【選択図】図１【図１】
0006767020.tif 000002
【図２】
0006767020.tif 000003
【図３】
0006767020.tif 000004
【図４】
0006767020.tif 000005
【図５】
0006767020.tif 000006
【図６】
0006767020.tif 000007